(57)【要約】      （修正有）【課題】小型でポケットに入れて持ち歩き、手軽に使用することのできる口中清浄器を提供する。【解決手段】人体に無害なガスを封入した小型ガス容器１に噴射ボタン２とノズル３を設け、噴射ボタン２を押すことにより容器１内のガスをノズル３の先端から噴射させる口中清浄器で、ノズル３が屈曲部32において屈曲自在となっている口内清浄器。【選択図】図１
0003109139.tif 000002
【実用新案登録請求の範囲】
【請求項１】
人体に無害なガスを封入した小型ガス容器（１）に噴射ボタン（２）とノズル（３）を設け、前記噴射ボタン（２）を押すことにより前記小型ガス容器（１）内のガスを前記ノズル（３）の先端から噴射させる口中清浄器であって、前記ノズル（３）が元管（31）と先管（33）との中間の屈曲部（32）において屈曲自在となっていることを特徴とする口中清浄器。
【請求項２】
前記屈曲部（32a）が、一方の側面に小孔、他方の側面に円弧状のスリットを形成した２枚の円盤を前記各側面を内側にして重ね合わせて結合し、屈曲の如何に係わらず両側に接続されるノズル（３）の元管（31）および先管（33）とが連通するようにしたものである請求項１に記載の口中清浄器。
【請求項３】
前記屈曲部（32b）が、樹脂管に蛇腹を形成したものである請求項１に記載の口中清浄器。
【請求項４】
前記屈曲部（32c）が、弾性材の短管である請求項１に記載の口中清浄器。
【考案の詳細な説明】
【技術分野】
【０００１】
本考案は、口中、特に歯と歯の間に詰まった異物を除去する口中清浄器に関する。
【背景技術】
【０００２】
口中、特に歯と歯の間に詰まった汚れを除去する手段としては通常の歯ブラシ、電動歯ブラシ、隙間用の特殊ブラシ等があるが、いずれも洗面所などの水を使用する場所へ行って使用することが必要であり、随時、手軽に、というわけには行かない。
一方、口中に芳香性の消毒薬などを噴射するスプレイ型の消臭剤が市販されているが、消臭が主たる目的で、歯と歯の間にはさまった異物を取る機能まではない。
【０００３】
また、パソコンのキーボードをはじめとするＯＡ機器、精密機器等の細かい隙間の清掃用として、細長いノズルの先端からガスを噴射するスプレイ缶タイプのものが市販されているが、総噴射量を確保するためやや大型となるので口中清浄の目的のためには使用できない。
【考案の開示】
【考案が解決しようとする課題】
【０００４】
本考案は、小型でポケットに入れて持ち歩き、手軽に使用することのできる口中清浄器を提供することを目的とする。
【課題を解決するための手段】
【０００５】
本考案は、人体に無害なガスを封入した小型ガス容器に噴射ボタンとノズルを設け、前記噴射ボタンを押すことにより前記小型ガス容器内のガスを前記ノズルの先端から噴射させる口中清浄器であって、前記ノズルが元管と先管との中間の屈曲部において屈曲自在となっていることを特徴とするものである。
【考案の効果】
【０００６】
本考案によれば、小型でポケットに入れて持ち歩き、手軽に使用することのできる口中清浄器が実現し、口中が爽快となるばかりでなく歯周病や虫歯が予防されるなど、健康が増進されるという、すぐれた効果を奏する。
【考案を実施するための最良の形態】
【０００７】
本考案の口中清浄器は、液化させるなどしてガスを充填した小型容器に噴射ボタンとノズルを設けてなり、ノズルは屈曲部において屈曲自在となっているので、通常はノズルを容器側面に折り畳むことでポケットに入れて手軽に持ち歩くことができ、使用時はノズルを伸ばして口中に挿入し、噴射ボタンを押して容器内のガスをノズル先端から噴射することにより口中、特に歯と歯の間に詰まった異物を手軽に除去することができる。
【０００８】
ガスがなくなった時点で再充填することも可能ではあるが、安価に製造できるものであれば「使い捨て」とすることもできる。
【実施例】
【０００９】
図２は、図１と同じくノズルを伸ばした状態で示す正面図で、１はガスを封入した容器、２は噴射ボタン、３はノズルで31は元管、32は屈曲部、33は先管である。なお11は折り畳んだ状態におけるノズル先端を保護するノズルガード、12はノズル３の容器への取り付け部分を保護するフードで、これらノズルガード11、フード12は必要に応じて設ければよい。
【００１０】
噴射ボタン２は容器１とノズル３の間を遮断するストップ弁であり、押すことにより容器１内のガスがノズル３に流出する。独立した押しボタンでもよいし、ノズル３の元管31の取り付け部を容器方向へ押し込む構造のものでもよい。
ノズル３は伸ばした状態で口中に挿入するので、伸ばした状態で50ないし60ｍｍの長さが好ましい。屈曲部32を除いて元管31、先管33の材質は特に限定しないが、製造コストや携帯時の重さ、口中を損傷しないなどの点を考慮すると樹脂管とするのが好ましい。容器１に充填、封入するガスは噴射された圧力で異物を吹き飛ばすだけの役割であり、芳香性、医療効果などは特に必要としない。また口中に噴射するものであることから人体に有害でないガスであることが必要である。その点では空気や不活性ガスが望ましいが、これらは液化が難しいので簡単に充填ができないことから、現実にはＨＦＣなどのフロン系ガスや、イソプロパノールなどのＬＰＧが適当である。
【００１１】
［実施例１］
ノズル３部分の第１の実施例を図３により説明する。（ａ）は屈曲部32aを示す斜視図、（ｂ）は分解した状態を示す斜視図である。この、屈曲部32aは側面周囲の段付き部で嵌合する２枚の円盤の一方の側面に小孔、他方の側面に円弧状のスリットを形成し、これらの側面を内側にしてピンで重ね合せてかしめるなどして結合したもので、両側の元管31、先管33に形成されているガス孔が屈曲部32aの屈曲の如何に係わらず連通するようになっている。
【００１２】
［実施例２］
ノズル３の第２の実施例を図４により説明する。ノズル３全体を可塑性の樹脂管とし、
屈曲部32bには蛇腹を形成して屈曲自在としてある。飲料を飲むのによく使用される折り曲げ式の樹脂製ストローと同じ構造である。曲げれば曲げたなりに、伸ばせば伸ばしたなりになる。
【００１３】
［実施例３］
ノズル３の第３の実施例を図５により説明する。屈曲部32cは弾性材の短管とし、両側の元管31、先管33をこれに挿入してある 。この実施例の場合、ノズル３を折り畳んで保持するにはノズルガード11にフック状の溝を設けるなどして、ノズル先端部をノズルガード11に係止させることが望ましい。
【図面の簡単な説明】
【００１４】
【図１】実施例の口中清浄器をノズルを折り畳んだ状態で示す正面図である。
【図２】実施例の口中清浄器をノズルを伸ばした状態で示す正面図である。
【図３】第１の実施例におけるノズルの屈曲部を示す部分斜視図である。
【図４】第２の実施例におけるノズルの屈曲部を示す部分正面図である。
【図５】第３の実施例におけるノズルの屈曲部を示す部分正面図である。
【符号の説明】
【００１５】
１    容器
２    噴射ボタン
３    ノズル
11    ノズルガード
12    フード
31    元管
32    屈曲部
33    先管
【図１】
0003109139.tif 000003
【図２】
0003109139.tif 000004
【図３】
0003109139.tif 000005
【図４】
0003109139.tif 000006
【図５】
0003109139.tif 000007